(57)【要約】【課題】制御装置に書き込むデータ群の整合性を確保する。【解決手段】相互に関連性のある複数のデータ群によりその動作を決定される制御装置と、前記制御装置と伝送により接続された受信装置と、前記受信装置と遠隔接続可能な一般回線にて接続された送信装置と、前記送信装置と伝送により接続された前記制御装置に対しデータの転送をおこなう制御装置の遠隔保守装置において、前記保守装置から前記制御装置に一度に相互に関連性のある複数のデータ群を書き込む際、あらかじめ前記保守装置から転送すべき全てのデータ群を前記受信装置に転送し終えた後に、前記受信装置から前記制御装置に全てのデータ群を転送する。【選択図】    図１
2004334553.tif 000002
【特許請求の範囲】
【請求項１】
相互に関連性のある複数のデータ群によりその動作を決定される制御装置と、前記制御装置と伝送により接続された受信装置と、前記受信装置と遠隔接続可能な一般回線にて接続された送信装置と、前記送信装置と伝送により接続された前記制御装置に対しデータの転送をおこなう制御装置の遠隔保守装置において、
前記保守装置から前記制御装置に一度に相互に関連性のある複数のデータ群を書き込む際、あらかじめ前記保守装置から転送すべき全てのデータ群を前記受信装置に転送し終えた後に、前記受信装置から前記制御装置に全てのデータ群を転送することを特徴とする制御装置の遠隔保守装置。
【発明の詳細な説明】
【０００１】
【発明の属する技術分野】
本発明は、遠隔接続された制御装置に対し複数データ群の転送をおこなう制御装置の遠隔保守装置に関する。
【０００２】
【従来の技術】
制御装置の保守において、従来は相互に関連性のある複数のデータ群によりその動作を決定される制御装置と、前記制御装置と伝送により接続された受信装置と、前記受信装置と遠隔接続可能な一般回線にて接続された送信装置と、前記送信装置と伝送により接続された前記制御装置に対しデータの転送をおこなう制御装置の遠隔保守装置において、図２に示すように前記保守装置から前記制御装置に対してデータ群を一つずつ転送していた。
図２において、１００は保守装置、１１０は保守装置１００のデータ群格納メモリ、１１１から１１ｎはそれぞれデータ群格納メモリ１１０に格納されたデータ群、２００は送信装置、２１０は送信装置２００の転送データ保持メモリ、３００は受信装置、３１０は受信装置３００の転送データ保持メモリ、４００は制御装置、４１０は制御装置４００のデータ群格納メモリ、４１１から４１ｎはそれぞれデータ群格納メモリ４１０に格納されたデータ群、５００は送信装置２００と受信装置３００を接続する一般回線、５１０は保守装置１００と送信装置２００を接続する伝送ケーブル、５２０は受信装置３００と制御装置４００を接続する伝送ケーブルである。
保守装置１００はデータ群１１１〜１１ｎの制御装置４００への転送を以下のような手順でおこなう。
１）保守装置１００はデータ群１１１を伝送ケーブル５１０を介し、送信装置２００の転送データ保持メモリ２１０に転送する。
２）送信装置２００は転送データ保持メモリ２１０に格納されたデータを一般回線５００を介し、受信装置３００の転送データ保持メモリ３１０に転送する。
３）受信装置３００は転送データ保持メモリ３１０に格納されたデータを伝送ケーブル５２０を介し、制御装置４００のデータ群格納メモリ４１０に転送し、データ群４１１とする。
４）以上１〜３の手順にて保守装置１００はデータ群格納メモリ１１０のデータをデータ群１１ｎまで繰返し実行する（例えば、特許文献１参照）。
【０００３】
【特許文献１】特開平０５−０４０６６４号公報
【０００４】
【発明が解決しようとする課題】
ところが、従来技術では、送信装置と受信装置を接続する接続回線としての品質を保ちにくい一般回線において転送途中でエラーがおきた場合、制御装置には一部のデータ群が書き込まれたこととなり相互に関連性のあるデータ群としての整合性が確保できないという問題があった。
そこで、本発明は、前記保守装置から前記制御装置に一度に相互に関連性のある複数のデータ群を書き込む際、あらかじめ前記保守装置から転送すべき全てのデータ群を前記受信装置に転送し終えた後に、前記受信装置から前記制御装置に全てのデータ群を転送することで前記制御装置に書き込むデータ群の整合性を確保することを目的とするものである。
【０００５】
【課題を解決するための手段】
上記課題を解決するため、本発明は相互に関連性のある複数のデータ群によりその動作を決定される制御装置と、前記制御装置と伝送により接続された受信装置と、前記受信装置と遠隔接続可能な一般回線にて接続された送信装置と、前記送信装置と伝送により接続された前記制御装置に対しデータの転送をおこなう制御装置の遠隔保守装置において、前記保守装置から前記制御装置に一度に相互に関連性のある複数のデータ群を書き込む際、あらかじめ前記保守装置から転送すべき全てのデータ群を前記受信装置に転送し終えた後に、前記受信装置から前記制御装置に全てのデータ群を転送するものである。
【０００６】
【発明の実施の形態】
以下、本発明の実施例を図に基づいて説明する。図１は制御装置に対する遠隔保守装置の構成例である。
図１において１００は保守装置、１１０は保守装置１００のデータ群格納メモリ、１１１から１１ｎはそれぞれデータ群格納メモリ１１０に格納されたデータ群、２００は送信装置、２１０は送信装置２００の転送データ保持メモリ、３００は受信装置、３１０は受信装置３００の転送データ群保持メモリ、３１１から３１ｎはそれぞれデータ群保持メモリ３１０に格納されたデータ群、４００は制御装置、４１０は制御装置４００のデータ群格納メモリ、４１１から４１ｎはそれぞれデータ群格納メモリ４１０に格納されたデータ群、５００は送信装置２００と受信装置３００を接続する一般回線、５１０は保守装置１００と送信装置２００を接続する伝送ケーブル、５２０は受信装置３００と制御装置４００を接続する伝送ケーブルである。
【０００７】
［動作］
保守装置１００はデータ群１１１〜１１ｎの制御装置４００への転送を以下のような手順でおこなう。
１）保守装置１００はデータ群１１１を伝送ケーブル５１０を介し、送信装置２００の転送データ保持メモリ２１０に転送する。
２）送信装置２００は転送データ保持メモリ２１０に格納されたデータを一般回線５００を介し、受信装置３００の転送データ保持メモリ３１０に転送し、データ群３１１とする。
３）以上１〜２の手順にて保守装置１００はデータ群格納メモリ１１０のデータをデータ群１１ｎまで繰返し実行する。
４）上記、３が完了したら、保守装置１００は全てのデータ転送が完了したことを伝送ケーブル５１０を介し、送信装置２００を経由して、さらに伝送ケーブル５２０を介し、受信装置３００に通知する。
５）全てのデータ転送が完了されたことを通知されると、受信装置３００は転送データ保持メモリ３１０に格納されたデータ群１１１からデータ群１１ｎまでを１つずつ、伝送ケーブル５２０を介し、制御装置４００のデータ群格納メモリ４１０に転送し、データ群４１１からデータ群４１ｎとする。
【０００８】
【発明の効果】
以上述べたように、本発明によれば、相互に関連性のある複数のデータ群によりその動作を決定される制御装置と、前記制御装置と伝送により接続された受信装置と、前記受信装置と遠隔接続可能な一般回線にて接続された送信装置と、前記送信装置と伝送により接続された前記制御装置に対しデータの転送をおこなう制御装置の遠隔保守装置において、前記制御装置に書き込むデータ群の整合性を確保できるため一般回線の通信品質が一時的に低下した場合も遠隔接続によるデータ群の転送による制御装置の保守が可能になる。
【図面の簡単な説明】
【図１】本発明による遠隔保守装置の実施例
【図２】従来の遠隔保守装置の実施例
【符号の説明】
１００  保守装置
１１０  保守装置１００のデータ群格納メモリ
１１１〜１１ｎ  データ群格納メモリ１１０に格納されたデータ群
２００  送信装置
２１０  送信装置２００の転送データ保持メモリ
３００  受信装置
３１０  受信装置３００の転送データ群保持メモリ
３１１〜３１ｎ  データ群保持メモリ３１０に格納されたデータ群
４００  制御装置
４１０  制御装置４００のデータ群格納メモリ
４１１〜４１ｎ  データ群格納メモリ４１０に格納されたデータ群
５００  送信装置２００と受信装置３００を接続する一般回線
５１０  保守装置１００と送信装置２００を接続する伝送ケーブル
５２０  受信装置３００と制御装置４００を接続する伝送ケーブル
【図１】
2004334553.tif 000003
【図２】
2004334553.tif 000004